(57)【要約】【目的】ベルトユニットが横置き、縦置きどちらでも冶具等を用いず設置できる構造とし、ベルトやベルトユニットの部品等を傷めることなくベルト交換又はメンテナンス等を行うことができるベルト搬送装置を提供すること。【構成】前後のフレーム間に取り付けられる被駆動ローラとの間に搬送ベルトを巻設されたベルトユニットとそのベルトユニットを支えるベルト搬送ユニットで構成された画像形成装置において、前記ベルトユニットはそのまま置ける平置き用の足とベルトを交換する場合は前側を上にしてベルトユニットを立たすことができる縦置き用の足とを設ける。ここで、前記平置き用の足部は、その足を固定しているつまみを外すことにより容易にベルトを外せるようにする。【選択図】      図２
2004161476.tif 000002
【特許請求の範囲】
【請求項１】
前後のフレーム間に取り付けられる被駆動ローラとの間に搬送ベルトを巻設されたベルトユニットとそのベルトユニットを支えるベルト搬送ユニットで構成された画像形成装置において、
前記ベルトユニットはそのまま置ける平置き用の足とベルトを交換する場合は前側を上にしてベルトユニットを立たすことができる縦置き用の足とを設けたことを特徴とするベルト搬送装置。
【請求項２】
前記平置き用の足部は、その足を固定しているつまみを外すことにより容易にベルトを外せることを特徴とする請求項１記載のベルト搬送装置。
【請求項３】
前記つまみを外すことにより持ち運びの把手にもなることを特徴とする請求項２記載のベルト搬送装置。
【発明の詳細な説明】
【０００１】
【発明の属する技術分野】
本発明は、記録媒体に画像を記録する画像記録装置において、記録媒体を静電吸着して搬送する搬送ベルトを用いる方式に適用されるベルト搬送装置に関するものである。
【０００２】
【従来の技術】
画像記録装置のうち特にインクジェット記録装置は、記録ヘッドから記録媒体であるシートにインクを吐出して記録を行うものであり、記録ヘッドのコンパクト化が容易であり、高精細な画像を高速で記録することができ、ランニングコストが安く、ノンインパクト方式であるため騒音が少なく、しかも、多色のインクを使用してカラー画像を記録するのが容易である等の利点を有している。中でもシートの幅方向に多数の吐出口を配列したラインタイプの記録ヘッドを使用したフルラインタイプの装置は、一層の記録の高速化が可能である。
【０００３】
このようなフルラインタイプの装置においては、最も上流側位置の記録ヘッドから最も下流側位置の記録ヘッドまでの距離が長くなってしまうため、ベルト状の搬送装置を使用して、搬送しながら記録を行う。しかし、記録領域においてシートの浮き上がりが発生すると、記録画像が乱れたり、ジャム等の原因にもなり得るため、シートが浮き上がらないよう下方へ付勢する必要がある。
【０００４】
そこで、図２２に示すように、搬送ベルト２１からシートＰの浮き上がりを防止するために、吸着手段１０１を搬送装置に設けていた。図において記録部に給送されたシートＰは、吸着手段１０１によって搬送ベルト２１に吸着された状態で搬送されつつ、記録ヘッド３１により画像が記録される。
【０００５】
吸着手段１０１は、導電部材から成る電極板１０５，１０６から構成され、搬送ベルト２１の幅方向と平行に櫛歯状に複数配置されている。電極板１０５，１０６の端子１０５ａ，１０６ａに接触して電力を供給する給電ブラシ７は、両側に配置され、一定の食い込み量ａを持ってビス等により固定支持されている。この給電ブラシ７が端子１０５ａ，１０６ａに摺擦して給電することにより、電極板１０５，１０６に静電気力を発生させ、シートＰの吸着搬送を行っている。
【０００６】
記録ヘッド３１により画像を記録されたシートＰは、除電ブラシ８により電極板１０５，１０６の電荷が除電され吸着力が無くなり、分離可能となり更にローラの曲率で記録媒体は完全に分離し排紙される。
【０００７】
【発明が解決しようとする課題】
このような搬送装置は、ベルトユニットを装置本体前方に引き出し可能とし、経時劣化或は損傷等による搬送ベルトの交換を可能にする方式がある。この際にベルト交換やメンテ等でベルトユニットを引き出し床か机に載せる必要があるが、従来の装置では横置きも、縦置きもベルトと部品が接触して破壊する恐れがあり、冶具等を用いなければ設置することができず、ベルト交換やメンテ等を行うには可成り困難であった。
【０００８】
本発明は上記問題に鑑みてなされたもので、その目的とする処は、ベルトユニットが横置き、縦置きどちらでも冶具等を用いず設置できる構造とし、ベルトやベルトユニットの部品等を傷めることなくベルト交換又はメンテナンス等を行うことができるベルト搬送装置を提供することにある。
【０００９】
【課題を解決するための手段】
上記課題を解決するために、本発明に係るベルト搬送装置の代表的な構成は、ベルトユニットを横置きにするために後の側板をベルトが接触しないような高さに設定し、前側はそれに合せるように高さを同じにした足を設けた。その足はベルトユニットハンドル（ベルトユニット上下ガイドベアリング取付部）が足を兼ねるようにした。縦置きするために後の側板にモータ部より飛び出た２つの足を設け、モータをカバーし縦置きにしても部品その他を傷めないで設置できる構造とした。又、ベルト交換のためにベルトユニットハンドルには軸と軸受を設け、つまみを外せば回転できるようにした。その際に把手にもなるように手で下げられるような構成としたことを特徴とする。
【００１０】
【発明の実施の形態】
以下に本発明の実施の形態を添付図面に基づいて説明する。
【００１１】
図１は本実施の形態に係るインクジェット記録装置の構成図、図２は本発明に係るベルト搬送装置の構成図である。
【００１２】
図１に示すように、本実施の形態に係るインクジェット記録装置１は、給送部２、搬送部３、記録部４、排出部５、吸着手段６、給電ブラシ７及び除電ブラシ８から構成される。以下それぞれについて説明する。
【００１３】
（給送部）
給送部２は、記録媒体であるシートＰを積載する圧板１０と、シートＰを給送するピックアップローラ１１、シートＰを１枚ずつ分離するための分離爪１２、圧板１０とピックアップローラ１１の当接を解除する図示しないリリースカムがベース９に取り付けられている。圧板１０は、ベース９に結合された軸を中心に揺動可能となっており、圧板バネ１３によってピックアップローラ１１に付勢されている。圧板１０のピックアップローラ１１と対向する部位には、シートＰの重送を防止する人工皮革等の摩擦係数の大きい材質から成る分離パット１４が設けられている。
【００１４】
上記構成において、待機状態ではリリースカムが圧板１０を所定位置まで押し下げており、圧板１０とピックアップローラ１１の当接は解除されている。この状態で駆動ローラ２２の有する駆動力がギア等によりピックアップローラ１１及びリリースカムに伝達されると、リリースカムが圧板１０から離れて圧板１０は上昇し、ピックアップローラ１１とシートＰが当接する。
【００１５】
そして、ピックアップローラ１１の回転に伴ってシートＰは、ピックアップされ、分離爪１２によって１枚ずつ分離されて搬送部３に送られる。ピックアップローラ１１は、シートＰを搬送部３に送り込むまで回転し、再びシートＰとピックアップローラ１１との当接を解除した待機状態となって、駆動ローラ２２からの駆動力が切られる。
【００１６】
又、手差給送用のピックアップローラ１５を用いる場合には、先ずシートＰを手差トレイ１６上に設置する。そして、これを記録開始信号に従ってピックアップローラ１５にて給送した後、搬送部３へ搬送する。
【００１７】
（搬送部）
搬送部３は、シートＰをガイドする上ガイド１７及び下ガイド１８と、シートＰを記録部へ導くピンチローラ２０と、シートＰを吸着した状態で搬送するシート搬送装置とから構成されている。シート搬送装置は、後述する吸着手段６（図３参照）を有する搬送ベルト２１と、搬送ベルト２１を巻架する駆動ローラ２２、従動ローラ２３、テンションローラ２４、プラテン２５、シート押さえローラ２７を有している。
【００１８】
ピンチローラ２０は、図示しないバネによって搬送ベルト２１を介して従動ローラ２３に圧接されている。駆動ローラ２２及び従動ローラ２３は、プラテン２５に回動可能に取り付けられ、駆動ローラ２２には、図２に示すように、シート送りモータ３０が接続されて駆動力が伝達される。テンションローラ２４は、一端がプラテン２５に揺動可能に取り付けられたテンションアーム２８の他端に回動自在に設けており、テンションアーム２８がテンションバネ２９によって付勢されることで搬送ベルト２１に張力を架している。
【００１９】
図２に示すように、シート押さえローラ２７は、ローラ支持部材２６に回動自在に取り付けられている。ローラ支持部材２６は、ピンチローラ２０の回転軸を回転中心として取り付けられており、図示しない付勢手段により搬送ベルト２１側に付勢されている。これによりシート押さえローラ２７は、搬送ベルト２１に付勢され、搬送されるシートＰを吸着手段６の作用する領域内において搬送ベルト２１側に押さえ付けている。
【００２０】
上記構成において、搬送部３に送られたシートＰは、上ガイド１７及び下ガイド１８に案内されて、搬送ローラ２２と従動ローラ２３とピンチローラ２０のニップに送られる。このとき、搬送されてきたシートＰの先端をシートセンサレバー１９で検知して、シートＰの記録位置を決定する。搬送ローラ２２と従動ローラ２３及びピンチローラ２０に挟持されたシートＰは、シート押さえローラ２７によって搬送ベルト２１に押圧され、吸着手段６により搬送ベルト２１の平面部に吸着されつつ搬送されて記録部４へと導かれる。そして、シート送りモータ３０によって駆動ローラ２２を介して搬送ベルトが回転することで、シートＰは画像を記録されながら矢印ａ方向へ搬送される。
【００２１】
尚、温度及び湿度等の環境の変化により、シートＰの端部が波打ち（コックリング）やカールが発生した状態の場合であっても、シート押さえローラ２７によってシートＰを搬送ベルト２１側に押し付けることにより、これらを取り除いた状態として搬送することができるため、記録部４において安定した記録を行うことができる。
【００２２】
（記録部）
本実施の形態においては、記録部４はフルラインタイプのインクジェット方式を採用しており、イエロー、マゼンタ、シアン、ブラックの各色の記録ヘッド３１Ｙ，３１Ｍ，３１Ｃ，３１Ｋが記録ヘッドホルダ３２に取り付けられている。各記録ヘッド３１は、シートＰの搬送方向と直交する方向にノズルが配列され、シート搬送方向に所定間隔で配置されている。記録ヘッドホルダ３２は、一端が軸３３によって回動可能に固定され、他端に形成された突出部３４とレール３５とが係合することにより、記録ヘッド３１のノズル面とシートＰとの距離が規定されるように構成されている。
【００２３】
記録ヘッド３１は、図示しないヒータ等からの熱エネルギーによってインクに膜沸騰を生じさせ、気泡の成長及び収縮により、インクをノズルから吐出してシートＰ上に画像を記録する。吸着手段６によって搬送ベルト２１に吸着されつつ記録部４によって画像を記録されたシートＰは、搬送ベルト２１から分離されて排出部５へと送られる。搬送ベルト２１は、画像記録後に記録されたシートＰを分離するために除電ブラシ８によって除電され、クリーニングローラ４７で清掃される。
【００２４】
（排出部）
排出部５は、排出ローラ３６と拍車３７によって構成され、排出ローラ３６は、図示しない伝達手段によって従動ローラ２３と搬送ローラ２２の回転力によって駆動される。尚、拍車３７は、記録直後の記録面を搬送するため、記録された画像のインクがなるべく転移しないように先端を尖らせた形状となっている。記録部で記録されたシートＰは、排出ローラ３６と拍車３７とに挟持搬送され、機外の排出トレイ３８に排出、積載される。
【００２５】
（吸着手段）
次に、吸着手段６について説明する。
【００２６】
図３は搬送ベルトの平面図、図４は図３における搬送ベルトの吸着手段のａ−ａ断面図、図５は図３における搬送ベルトの吸着手段のｂ−ｂ断面図である。
【００２７】
吸着手段６は、図３に示すように搬送ベルト２１の内部に設置されており、シートＰを吸着する作用を有している。吸着手段６は導電部材から成る電極板３９，４０より構成され、搬送ベルト幅方向と平行に櫛歯状に複数設置されている。
【００２８】
図４に示すように、吸着力発生領域においては、電極板３９，４０がベース層２１ａと表面層２１ｂとで挟まれた形で保護されている。ベース層２１ａ及び表面層２１ｂは、約０．１ｍｍ〜０．２ｍｍ位の厚みのポリイミド、ＰＶＤＦ等の合成樹脂から形成されている。
【００２９】
電極板３９，４０は、図５に示すように、ベルト幅方向端部を露出させ、給電部である端子３９ａ，４０ａとしている。該端子３９ａ，４０ａは、搬送方向に電極板３９，４０の幅よりも広く形成し、給電し易いように構成されている。一方の電極板３９には給電ブラシ７より図示しない高圧電源から約−１０ｋＶ〜−０．５ｋＶの高電圧を印加し、他方の電極板４０には同様に給電ブラシ７を介して図示しない高圧電源から逆極性の約０．５ｋＶ〜１０ｋＶの高電圧を印加している。
【００３０】
電極板３９，４０に電圧が与えられると、図４に示すように、電界が矢印の方向に発生し、電気力線が形成される。そして、電極板３９と電極板４０との間の電位差によって搬送ベルト２１の上方位置に吸着力が発生する。シートＰの記録面上には、電極板３９，４０それぞれに与えられた電圧と同極性の電荷（表面電位）が発生する。シートＰの吸着力としては電極板３９と電極板４０との間の導電部材がない部分が最も低い領域となる。
【００３１】
シートＰにインクが多量に吐出された場合には、シートＰが膨潤し、コックリングが発生する。この場合において、シートＰのコックリングが上述の吸着力の最も低い領域である電極板３９と電極板４０との間の導電部材が無い部分で発生することとなり、シートＰの記録ヘッド３１側への浮きを最小限に抑えることができ、安定した記録を行うことができる。
【００３２】
図６は本提案の搬送部全体の斜視図でベルトユニット移動部５０にベルトユニット４８がセットされ、昇降機構によりベルトユニット４８が持ち上げられ本体に取り付けられ位置決めブロック６０に押し当てられた状態を表した図である。図７は図６からベルユニット４８と位置決めガイドブロック６０を除いた図で移動部の機構、昇降機構と前後移動機構を示した図である。図８はベルトユニットのみを表した図である
ここで、ベルト交換やジャム等でベルトユニット４８を本体から外す方法について説明する。
【００３３】
図６で把手６４を手前に引くと昇降機構が働き、ベルトユニット４８は下げられてヘッドから大きく離されるとともに、ベルトユニット移動部のロック部材５１のロック部材フック部５２が搬送部ベース４９の切欠きから解除され、ベルトユニット４８は手前に引き出される。その状態を表した図が図９で、そこからベルトユニット４８を外した状態を表した図が図１０である。
【００３４】
上記で述べたことを図１１〜図１６を用いて詳細に説明する。
【００３５】
図１１は把手６４を手前に引いた図で、把手６４を手前に引くとスライドカム７７が手前に移動し、図１３及び図１４のようにカムフォロワーが下がり、その上にセットされたベルトユニット４８もその分下降する。
【００３６】
ベルトユニット４８は、手前側のベルトユニットハンドル８５に取り付けられたガイドベアリング軸９１とベルトユニット上下ガイドベアリング９０がベルトユニットステージ７４のベルトユニットステージ前側板７５の２つのユニットステージ前側板切欠き部でガイドされ、後側はベルトユニット側板後６６に取り付けられたガイドベアリング軸後９２とベルトユニット上下ガイドベアリング９０が同様に後のベルトユニットステージ後側板７６の２つのユニットステージ後側板切欠き部ガイド部（図示せず）でガイドされている。
【００３７】
この前後側板のユニットステージ側板切欠き部は、ベルトユニットの略重心位置にあり、その溝にバネ部材を介してベアリング付きのカムフォロワーが上下方向移動可能に取り付けられ、スライドカムの上に載せられている。ベルトユニット押上げバネ８８は、その中にある部品を見せるために図示せず、ベルトユニット押上げバネ８８は図１７には図示されている。
【００３８】
ベルトユニットを下降させた後、更に把手６４を手前に引くと、図１２に示すように、スライドカム７７に取り付けられた移動部ロックリリース部材５６が手前（図の中では右側）に移動し、移動部ロック部材５１の移動部ロック部材ピンに当接し、移動部ロック部材支持軸５３を中心として移動部ロック部材５１は時計方向に回転させられる。それによりベルトユニット移動部ロック部材５１のロック部材フック部５２が搬送部ベース４９の搬送部ベース切欠き部５９から解除され、ベルトユニット４８は、スライドレール左７２とスライドレール右７３によって大幅に手前に引き出される。これによりベルトユニット４８は容易に本体から外され得る。
【００３９】
反対にベルトユニット４８を本体に入れて所定の位置に固定する場合は、ベルトユニット４８をユニット移動部５０にセットした後、把手６４を本体奥側に押し込むが、その際、図１１のスライドカム押し部材７８の先端部がユニットステージ前側板７５に当接し、ユニット移動部５０が本体奥側に押し込まれる。ユニット移動部５０が本体に押し込まれると、移動ブロック部材５１が搬送部ベース４９の搬送部ベース切欠き部５９に係合し、ユニット移動部５０は前後方向には固定される。
【００４０】
ユニット移動部５０は、前後方向には固定された後、更に把手６４を押し込んでベルトユニット４８を上昇させる必要があるが、その際、図１１でスライドカム押し部材７８は、スプリング（図示されず）で常に上向きに付勢させられているのでそれ以上奥へは押せず、スライドカム押し部材７８を下側に押してユニットステージ前側板切欠き部８０の中にくぐらせる。それによりスライドカム７７は奥側に移動でき、カムフォロワー左８１とカムフォロワー右８２を押し上げ、更にベルトユニット４８を押し上げる。
【００４１】
ベルトユニット４８を押し上げるカムフォロワー左８１、カムフォロワー右８２には、カムフォロワーベアリング８３の他にベルトユニット上下軸受上８６とベルトユニット上下軸受下８７が取り付けられ、互いをベルトユニット押上げバネ支持軸８９によって繋げられるが、その間の隙間は自由になるように片方は固定されていない。その間にベルトユニット押上げバネ８８が入り、本体に取り付けられた位置決めブロック６０，６３に或る程度の圧力で押し上げられて位置を保っている。
【００４２】
図１７は正面から見た図で、ベルトユニット４８が昇降機構によって持ち上げられ、本体に取り付けられた位置決めブロック６０，６３に突き当てられた状態を表した図である。
【００４３】
位置決めブロック６０の左側と右側には、位置決めブロックピン６１，６２が設けられており、ベルトユニット側板６５にはそのピンが当接する部分が設けられている。⇒はベルトユニット４８の略重心位置を表している。
【００４４】
図１８及び図１９は前記当接部分の拡大図で、図１８は左側、図１９は右側の拡大図である。左側は上方が開口し、下方が狭まる逆台形形状で本体ガイド部のピンが当接することにより左右方向と上下方向の位置が決定されるようになっている。右側は左で位置が決まっているので、単に高さ方向のみが決定されるように側板にピンが当接している。
【００４５】
図２０及び図２１はベルトユニット４８の骨組を表した図で、ベルトユニット側板前６５、ベルトユニット側板後６６とプラテンベース９３は側板、プラテンベース位置合せ部９４でプラテンベース９３側には四角な板材を何箇所か設け、そこにベルトユニット側板に窓部を設け、そこに嵌めることにより互いの位置出しをしているが、全体の捩れには少しのガタ分で捩れることが可能である。奥側は普通のネジで側板とプラテンベース９３を固定するが、手前側はベルトユニット側板固定段ネジ６７で固定することにより捩り方向にやや自由度がある柔構造を持ったベルトユニット４８を提供することができる。この構造により、本体側に設けた位置決めブロック６０，６３の所定の位置に繰り返し安定して当接させることできる。
【００４６】
図２２は従来の片側を支点としてベルトユニット４８を記録ヘッド３１から離す方法を示した図で、記録ヘッド３１部分と搬送部３はインクジェット記録装置１の側板で位置決めがされ、ジャムやベルト交換時には駆動ローラ２２側を支点として下げることにより記録ヘッド３１との隙間を開けていた。
【００４７】
図２３はベルトユニットの背面を表した図で立て置き用のスタンド２つを示した図である。
【００４８】
図２４はベルトユニット４８の背面を下にしてベルトユニット４８を立たせ、ベルトユニットハンドル８５の固定つまみ１，１００、固定つまみ２，１０１とを外して上に向けた図である。これで搬送ベルト２１を外すことができる。
【００４９】
図２５は図２４からベルトを少し上（矢印方向）に上げた図であり、少しずつ上に持ち上げて搬送ベルト２１を外し、その際、テンションは弛めておく。
【００５０】
図２６はベルトをベルトユニットから完全に外した図である。これで搬送ベルトの交換やメンテ等を行うことができる。
【００５１】
図２７はベルト２１を外し、ベルトユニットハンドル８５を元に戻してベルトユニット４８を横置きした図であり、６６ａ，６６ｂと８５ａが設置用の足部となる。固定つまみ１，１００と固定つまみ２，１０１はこれから締めるところを表している。この状態でもメンテナンス等は可能である。
【００５２】
図２８は従来のベルトユニットで横置き、縦置きの設置部がなく駆動ローラはカップリング１０２で本体のモータに連結されていた。そのため、冶具を用いてユニットを立ててベルト交換やメンテナンス等を行っており、不便であった。
【００５３】
【発明の効果】
上記の説明で明らかなように、本発明によれば、ベルトユニットが横置き、縦置きどちらでも冶具等を用いないで設置できる構造としてベルトやベルトユニットの部品等を傷めることなくベルト交換又はメンテナンス等を行うことができるという効果が得られる。
【図面の簡単な説明】
【図１】インクジェット記録装置の構成図である。
【図２】本発明に係るベルト搬送装置の構成図である。
【図３】搬送ベルトの平面図である。
【図４】図３における搬送ベルトの吸着手段のａ−ａ断面図である。
【図５】図３における搬送ベルトの吸着手段のｂ−ｂ断面図である。
【図６】搬送部全体を示す斜視図である。
【図７】ユニット移動部（昇降／前後）を示す斜視図である。
【図８】ベルトユニットを示す斜視図である。
【図９】ユニット移動部に乗せられたベルトユニットがプリンター本体手前に引き出された図である。
【図１０】図９からベルトユニットを外した図である。
【図１１】把手部と昇降機後部の拡大図である。
【図１２】ユニット移動部ロック部材が搬送部ベースにロックされた図である。
【図１３】昇降機構部のみを表した図でまだカムフォロワーが下がった状態を示す図である。
【図１４】図１３の拡大図である。
【図１５】昇降機構部のみを表した図で把手を本体奥側に押し込むことによりスライドカムが移動しカムフォロワーが持ち上げられた状態を示す図である
【図１６】図１５の拡大図である。
【図１７】ベルトユニットが昇降機構によって持ち上げられ本体に取り付けられた位置決めブロックに突き当てられた状態を表した図である。
【図１８】図１７の位置決め部の左側を拡大した図である。
【図１９】図１７の位置決め部の右側を拡大した図である。
【図２０】ベルトユニットの柔構造を説明する図である。
【図２１】ベルトユニットの柔構造を説明する拡大図である。
【図２２】従来の片側を支点としてベルトユニットをヘッドから離す方法を示した図である。
【図２３】ベルトユニットの背面を表した図で立て置き用のスタンド２つを示した図である。
【図２４】ベルトユニットの背面を下にしてベルトユニット立たせ、ベルトユニットハンドルの固定つまみ１，２を外して上に向けた図である。
【図２５】図２４からベルトを少し上（矢印方向）に上げた図である。
【図２６】ベルトをベルトユニットから完全に外した図である。
【図２７】ベルトを外した後でハンドルを元に戻しベルトユニットを平置きした図である。
【図２８】従来のベルトユニットを示す図である。
【符号の説明】
Ｐ    シート
１    インクジェット記録装置
２    給送部
３    搬送部
４    記録部
５    排出部
６    定着手段
７    帯電ブラシ
８    除電ブラシ
９    ベース
１０    圧板
１１    ピックアップローラ
１２    分離爪
１３    圧板バネ
１４    分離パット
１５    ピックアップローラ
１６    手差トレイ
１７    上ガイド
１８    下ガイド
１９    シートセンサレバー
２０    ピンチローラ
２１    搬送ベルト
２１ａ  ベース層
２１ｂ  表面層
２２    駆動ローラ
２３    従動ローラ
２４    テンションローラ
２５    プラテン
２６    ローラ支持部材
２７    シート押さえローラ
２８    テンションアーム
２９    テンションバネ
３０    シート送りモータ
３１    記録ヘッド
３２    記録ヘッドホルダ
３３    ホルダ支持軸
３４    ホルダ突出部
３５    ホルダガイドレール
３６    排出ローラ
３７    拍車
３８    排出トレイ
３９，４０    ベルト電極板
３９ａ，４０ａ  ベルト電極露出部
４１    給電用導電性繊維束
４２    給電用ブラシホルダー
４３    給電用ブラシケース
４４    除電用導電性繊維束
４５    除電用ブラシホルダー
４６    除電用ブラシケース
４７    クリーニングローラ
４８    ベルトユニット
４９    搬送部ベース
５０    ユニット移動部（昇降／前後）
５１    移動部ロック部材
５２    ロック部材フック部
５３    移動部ロック部材支持軸
５４    移動部ロック部材スプリング
５５    移動部ロック部材ピン
５６    移動部ロックリリース部材
５７    移動部ロックリリース部材押えバネ
５８    移動部ロックリリースガイドピン
５９    搬送部ベース切欠き部
６０    位置決めブロック前
６１    位置決めブロックピン前左
６２    位置決めブロックピン前右
６３    位置決めブロック後
６４    把手
６５    ベルトユニット側板前
６６    ベルトユニット側板後
６６ａ  ベルトユニット側板後底面
６６ｂ  ベルトユニット側板後底面
６７    ベルトユニット側板固定段ネジ
６８    ベルトユニット側板前位置決め部左
６９    ベルトユニット側板前位置決め部右
７０    スライドレール支持板左
７１    スライドレール支持板右
７２    スライドレール左
７３    スライドレール右
７４    ユニットステージ
７５    ユニットステージ前側板
７６    ユニットステージ  後側板
７７    スライドカム
７８    スライドカム押し部材
７９    スライドカム押し部材軸
８０    ユニットステージ前側板切欠き部
８１    カムフォロワー左
８２    カムフォロワー右
８３    カムフォロワーベアリング
８４    カムフォロワーベアリング軸
８５    ベルトユニットハンドル
８５ａ  ベルトユニットハンドル足部
８６    ベルトユニット上下軸受上
８７    ベルトユニット上下軸受下
８８    ベルトユニット押上げバネ
８９    ベルトユニット押上げバネ支持軸
９０    ベルトユニット上下ガイドベアリング
９１    ガイドベアリング軸前
９２    ガイドベアリング軸後
９３    プラテンベース
９４    側板、プラテンベース位置合せ部
９５    ベルトユニットスタンド１
９６    ベルトユニットスタンド２
９７    ベルトユニットハンドル軸
９８    ベルトユニットハンドル軸受左
９９    ベルトユニットハンドル軸受右
１００  固定つまみ１
１０１  固定つまみ２
１０２  カップリング
【図１】
2004161476.tif 000003
【図２】
2004161476.tif 000004
【図３】
2004161476.tif 000005
【図４】
2004161476.tif 000006
【図５】
2004161476.tif 000007
【図６】
2004161476.tif 000008
【図７】
2004161476.tif 000009
【図８】
2004161476.tif 000010
【図９】
2004161476.tif 000011
【図１０】
2004161476.tif 000012
【図１１】
2004161476.tif 000013
【図１２】
2004161476.tif 000014
【図１３】
2004161476.tif 000015
【図１４】
2004161476.tif 000016
【図１５】
2004161476.tif 000017
【図１６】
2004161476.tif 000018
【図１７】
2004161476.tif 000019
【図１８】
2004161476.tif 000020
【図１９】
2004161476.tif 000021
【図２０】
2004161476.tif 000022
【図２１】
2004161476.tif 000023
【図２２】
2004161476.tif 000024
【図２３】
2004161476.tif 000025
【図２４】
2004161476.tif 000026
【図２５】
2004161476.tif 000027
【図２６】
2004161476.tif 000028
【図２７】
2004161476.tif 000029
【図２８】
2004161476.tif 000030